(57)【要約】【課題】メンテナンス時における貨幣処理装置の操作性を向上させるとともに、貨幣処理装置のダウンタイムの短縮を図る。【解決手段】貨幣を処理するための貨幣処理装置１００，２００は、メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、発生した事象をキーにして異常対応情報データベースを検索し、その事象のメンテナンスに必要な用品を特定する用品特定手段と、特定された用品を報知する報知手段とを備える。【選択図】図７
2017004049.tif 000002
【特許請求の範囲】
【請求項１】
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えることを特徴とする貨幣処理装置。
【請求項２】
前記報知手段は、前記発生した事象とともに、前記特定された用品を報知することを特徴とする請求項１に記載の貨幣処理装置。
【請求項３】
前記報知手段は、前記特定された用品を含む操作ガイダンスを報知することを特徴とする請求項１または２に記載の貨幣処理装置。
【請求項４】
前記異常対応情報データベースは、前記用品の保管場所および／または管理者を示す用品管理情報を前記用品情報と関連付けて記憶し、
前記用品特定手段は、前記特定された用品の用品管理情報を取得し、
前記報知手段は、前記特定された用品とともに、その用品の保管場所および／または管理者を報知することを特徴とする請求項１〜３のいずれかに記載の貨幣処理装置。
【請求項５】
前記用品管理情報を設定または変更するための登録情報を受け付ける登録情報受付手段をさらに備えることを特徴とする請求項４に記載の貨幣処理装置。
【請求項６】
前記用品管理情報は、前記用品の管理者の連絡先情報を含み、
前記報知手段は、前記連絡先情報に基づいて、前記管理者に前記用品が必要である旨を報知することを特徴とする請求項４または５に記載の貨幣処理装置。
【請求項７】
前記報知手段は、前記発生した事象および前記特定された用品を印字して出力することを特徴とする請求項１〜６のいずれかに記載の貨幣処理装置。
【請求項８】
前記メンテナンスは、前記貨幣処理装置に設けられたユニットの開放を伴う作業であり、前記用品は、前記ユニットを開放するための鍵であることを特徴とする請求項１〜７のいずれかに記載の貨幣処理装置。
【請求項９】
前記メンテナンスは、前記貨幣処理装置内に設けられた所定の部位を清掃する作業であり、前記用品は、前記部位を清掃するための清掃用品であることを特徴とする請求項１〜７のいずれかに記載の貨幣処理装置。
【請求項１０】
貨幣処理装置と、前記貨幣処理装置を管理する管理装置とを含む貨幣処理システムであって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する、用品特定手段と、
前記特定された用品を報知する報知手段と、
を備えることを特徴とする貨幣処理システム。
【請求項１１】
通信可能に接続された貨幣処理装置と管理装置によって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えた貨幣処理システムを構成するために、
上記手段の少なくとも１つを備えることを特徴とする貨幣処理装置。
【請求項１２】
通信可能に接続された貨幣処理装置と管理装置によって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えた貨幣処理システムを構成するために、
上記手段の少なくとも１つを備えることを特徴とする管理装置。
【請求項１３】
メンテナンスを要する事象を示す事象情報と、その事象のメンテナンスに必要な用品を示す用品情報とを関連付けて記憶する異常対応情報データベースを用いた、貨幣処理装置のメンテナンス方法であって、
メンテナンスを要する事象が発生した際に、前記発生した事象をキーにして前記異常対応情報データベースを検索し、その事象のメンテナンスに必要な用品を特定するステップと、
前記特定された用品を報知するステップと、
を備えることを特徴とする貨幣処理装置のメンテナンス方法。
【発明の詳細な説明】
【技術分野】
【０００１】
本発明は、貨幣処理装置、貨幣処理システム、管理装置、および貨幣処理装置のメンテナンス方法に関する。
【背景技術】
【０００２】
従来、貨幣処理装置の一つとして、釣銭機や入出金機が知られている。例えば、特許文献１には、貨幣投入口と、投入された貨幣を装置内部に搬送する貨幣搬送路と、装置内部に搬送された貨幣を収納する貨幣収納庫とを備える入金機が記載されている。このような貨幣処理装置においては、貨幣収納庫を有する本体ユニットが筐体に対して引き出し可能に構成されており、通常運用時は筐体内に収納されている。
【０００３】
本体ユニット内で紙幣詰まりや硬貨フル状態等のエラーが発生した場合、操作者は第１の鍵を用いて筐体から本体ユニットを引き出す。次に、第１の鍵とは異なる第２の鍵を用いて、エラー発生箇所（効果収納庫等）の扉ないし蓋を開けてエラー発生箇所を開放する。これにより、操作者は本体ユニットの内部のメンテナンス（詰まった紙幣の除去等）を行うことが可能になる。このように本体ユニットの開放には第２の鍵を必要とすることで、セキュリティの向上が図られている。第２の鍵は、セキュリティ確保の観点から、鍵管理ボックスに保管されていたり、店長等の管理者が保管していることが多い。
【先行技術文献】
【特許文献】
【０００４】
【特許文献１】特開２００８−２１０３１５号公報
【発明の概要】
【発明が解決しようとする課題】
【０００５】
しかしながら、従来、エラーが発生した場合、操作者は本体ユニットを筐体から引き出した時点で第２の鍵が必要であると認識することになる。この場合、操作者は本体ユニットを筐体内に戻すか、本体ユニットを引き出したまま、第２の鍵を取りに行くことになる。意図せず作業が中断されるため、操作者は、貨幣処理装置の操作性が悪いと感じるおそれがある。
【０００６】
さらに、操作者がメンテナンスに必要な用品（第２の鍵等）を容易に認識できず、当該用品の取得に手間取ることにより、エラー発生から復旧までの時間（ダウンタイム）が長くなってしまうという課題があった。
【０００７】
そこで、本発明は、メンテナンス時における貨幣処理装置の操作性を向上させるとともに、貨幣処理装置のダウンタイムの短縮を図ることができる貨幣処理装置、貨幣処理システム、管理装置、および貨幣処理装置のメンテナンス方法を提供することを目的とする。
【課題を解決するための手段】
【０００８】
本発明に係る貨幣処理装置は、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えることを特徴とする。
【０００９】
また、前記貨幣処理装置において、
前記報知手段は、前記発生した事象とともに、前記特定された用品を報知するようにしてもよい。
【００１０】
また、前記貨幣処理装置において、
前記報知手段は、前記特定された用品を含む操作ガイダンスを報知するようにしてもよい。
【００１１】
また、前記貨幣処理装置において、
前記異常対応情報データベースは、前記用品の保管場所および／または管理者を示す用品管理情報を前記用品情報と関連付けて記憶し、
前記用品特定手段は、前記特定された用品の用品管理情報を取得し、
前記報知手段は、前記特定された用品とともに、その用品の保管場所および／または管理者を報知するようにしてもよい。
【００１２】
また、前記貨幣処理装置において、
前記用品管理情報を設定または変更するための登録情報を受け付ける登録情報受付手段をさらに備えてもよい。
【００１３】
また、前記貨幣処理装置において、
前記用品管理情報は、前記用品の管理者の連絡先情報を含み、
前記報知手段は、前記連絡先情報に基づいて、前記管理者に前記用品が必要である旨を報知するようにしてもよい。
【００１４】
また、前記貨幣処理装置において、
前記報知手段は、前記発生した事象および前記特定された用品を印字して出力するようにしてもよい。
【００１５】
また、前記貨幣処理装置において、
前記メンテナンスは、前記貨幣処理装置に設けられたユニットの開放を伴う作業であり、前記用品は、前記ユニットを開放するための鍵であってもよい。
【００１６】
また、前記貨幣処理装置において、
前記メンテナンスは、前記貨幣処理装置内に設けられた所定の部位を清掃する作業であり、前記用品は、前記部位を清掃するための清掃用品であってもよい。
【００１７】
本発明に係る貨幣処理システムは、貨幣処理装置と、前記貨幣処理装置を管理する管理装置とを含む貨幣処理システムであって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する、用品特定手段と、
前記特定された用品を報知する報知手段と、
を備えることを特徴とする。
【００１８】
本発明に係る貨幣処理装置は、
通信可能に接続された貨幣処理装置と管理装置によって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えた貨幣処理システムを構成するために、
上記手段の少なくとも１つを備えることを特徴とする。
【００１９】
本発明に係る管理装置は、
通信可能に接続された貨幣処理装置と管理装置によって、
メンテナンスを要する事象を示す事象情報と、その事象のメンテナンスに必要な用品を示す用品情報とを関連付けて記憶する異常対応情報データベースにアクセス可能であり、メンテナンスを要する事象が発生した際に、前記発生した事象をキーにして前記異常対応情報データベースを検索し、その事象のメンテナンスに必要な用品を特定する用品特定手段と、
前記特定された用品を報知する報知手段と、
を備えた貨幣処理システムを構成するために、
上記手段の少なくとも１つを備えることを特徴とする。
【００２０】
本発明に係る貨幣処理装置のメンテナンス方法は、
メンテナンスを要する事象を示す事象情報と、その事象のメンテナンスに必要な用品を示す用品情報とを関連付けて記憶する異常対応情報データベースを用いた、貨幣処理装置のメンテナンス方法であって、
メンテナンスを要する事象が発生した際に、前記発生した事象をキーにして前記異常対応情報データベースを検索し、その事象のメンテナンスに必要な用品を特定するステップと、
前記特定された用品を報知するステップと、
を備えることを特徴とする。
【発明の効果】
【００２１】
本発明によれば、メンテナンス時における貨幣処理装置の操作性を向上させるとともに、貨幣処理装置のダウンタイムの短縮を図ることができる。
【図面の簡単な説明】
【００２２】
【図１】実施形態に係る貨幣処理システム１の外観を示す斜視図である。
【図２】実施形態に係る貨幣処理システム１の概略構成図である。
【図３】実施形態に係る貨幣処理システム１の制御ブロック図である。
【図４】紙幣処理機２００の本体ユニットを引き出した状態を示す斜視図である。
【図５】実施形態に係る異常対応情報データベースの一例を示す図である。
【図６】変形例に係る異常対応情報データベースの一部を示す図である。
【図７】実施形態に係る貨幣処理装置のメンテナンス方法の一例を説明するためのフローチャートである。
【図８】発生事象のメンテナンスに必要な用品を表示する画面の一例を示す図である。
【図９】一連の事象解除処理の操作ガイダンスを表示する画面の一例を示す図である。
【図１０】（１）は操作者にリセットを促す画面の一例を示す図であり、（２）は発生事象解除後の待機画面の一例を示す図である。
【図１１】発生事象のメンテナンスに必要な用品を表示する画面の第１の変形例を示す図である。
【図１２】発生事象のメンテナンスに必要な用品を表示する画面の第２の変形例を示す図である。
【図１３】（１）は一例に係る入出金機の外観を示す斜視図であり、（２）は当該入出金機の紙幣処理機２００Ａの内部構成を示す図である。
【発明を実施するための形態】
【００２３】
以下、本発明に係る実施形態について図面を参照しながら説明する。なお、各図において同等の機能を有する構成要素には同一の符号を付す。また、本願において、「貨幣」とは、「硬貨」、「紙幣」の総称であり、「硬貨」および「紙幣」の少なくともいずれか一方のことを意味する。
【００２４】
＜貨幣処理システム１＞
まず、本実施形態に係る貨幣処理システム１の全体構成について図１〜図３を参照して説明する。図１および図２に示すように、貨幣処理システム１は、硬貨の入出金処理を行う硬貨処理機１００と、紙幣の入出金処理を行う紙幣処理機２００と、硬貨処理機１００および紙幣処理機２００を管理するＰＯＳレジスタ（管理装置）３００とを備えている。硬貨処理機１００は硬貨の入出金処理を行い、紙幣処理機２００は紙幣の入出金処理を行うように構成されている。以下、硬貨処理機１００および紙幣処理機２００をまとめて貨幣処理装置ともいう。硬貨処理機１００および紙幣処理機２００は、例えば釣銭機であり、図１に示すように、左右方向に並べて配置される。
【００２５】
貨幣処理システム１は、図１および図２に示すように、棒金を収納するための棒金ドロア５０６を有する棒金管理機５００をさらに備えてもよい。この棒金管理機５００は、図１に示すように硬貨処理機１００と一体になっていてもよいし、あるいは、硬貨処理機１００と別体であってもよい。
【００２６】
図３に示すように、硬貨処理機１００は、硬貨処理機１００、紙幣処理機２００および棒金管理機５００を統合して制御する上位制御部１０１と、硬貨処理機１００のみを制御する硬貨制御部１０２とを有する。上位制御部１０１および硬貨制御部１０２は互いに通信可能に接続されている。また、紙幣処理機２００は、紙幣処理機２００を制御する紙幣制御部２０２を有する。この紙幣制御部２０２は、硬貨処理機１００の上位制御部１０１に通信可能に接続されている。また、棒金管理機５００は、棒金管理機５００を制御する棒金制御部５０２を有する。この棒金制御部５０２は、硬貨処理機１００の上位制御部１０１に通信可能に接続されている。また、ＰＯＳレジスタ３００は、ＰＯＳレジスタ３００を制御するＰＯＳ制御部３０６を有する。このＰＯＳ制御部３０６は、硬貨処理機１００の上位制御部１０１に通信可能に接続されている。
【００２７】
硬貨処理機１００において硬貨の入金処理、出金処理、補充処理、精査処理、回収処理等の様々な処理を行うと、硬貨処理機１００の硬貨識別部１５０で識別された結果は硬貨処理機１００からＰＯＳレジスタ３００に出力されて、当該結果が後述するＰＯＳ表示部３０２で表示される。また、紙幣処理機２００において紙幣の入金処理、出金処理、補充処理、精査処理、回収処理等の様々な処理を行うと、紙幣処理機２００の紙幣識別部２５０で識別された結果も紙幣処理機２００から上位制御部１０１を介してＰＯＳレジスタ３００に出力されて、当該結果がＰＯＳ表示部３０２で表示される。また、棒金管理機５００から出力される棒金の有無に関する情報、棒金の金種に関する情報等も棒金管理機５００から上位制御部１０１を介してＰＯＳレジスタ３００に出力されて、当該情報がＰＯＳ表示部３０２で表示される。
【００２８】
次に、ＰＯＳレジスタ３００、棒金管理機５００、硬貨処理機１００および紙幣処理機２００の構成について詳しく説明する。
【００２９】
＜ＰＯＳレジスタ３００＞
ＰＯＳレジスタ３００の構成について説明する。ＰＯＳレジスタ３００は、商品の購入情報を登録するとともに、硬貨処理機１００や紙幣処理機２００に対して硬貨や紙幣の入出金処理を実行させるように構成されている。ＰＯＳレジスタ３００は、例えば、硬貨処理機１００および紙幣処理機２００上に配置される。
【００３０】
図１および図２に示すように、ＰＯＳレジスタ３００は、店員等の操作者が操作することが可能なＰＯＳ操作部３０４と、ＰＯＳ表示部３０２とを備えている。操作者は、ＰＯＳ操作部３０４を介してＰＯＳ制御部３０６に対して様々な指令を与えることが可能である。ＰＯＳ表示部３０２は、硬貨処理機１００における硬貨の処理状況、紙幣処理機２００における紙幣の処理状況、硬貨処理機１００の内部に収納された硬貨の在高、紙幣処理機２００の内部に収納された紙幣の在高および棒金管理機５００の内部に収納された棒金の在高等を表示する。
【００３１】
図２および図３に示すように、ＰＯＳレジスタ３００は、サーバ（例えば店舗サーバ）４００に通信可能に接続されている。ＰＯＳレジスタ３００からサーバ４００に売上金情報等が送信されるように構成されている。また、各種設定情報が、サーバ４００からＰＯＳレジスタ３００（複数台でも可）に配信されるように構成されている。
【００３２】
図３に示すように、ＰＯＳレジスタ３００のＰＯＳ制御部３０６は、硬貨処理機１００の上位制御部１０１に通信可能に接続されているとともに、サーバ４００にも通信可能に接続されている。そして、このＰＯＳ制御部３０６は、硬貨処理機１００の上位制御部１０１を介して硬貨制御部１０２、紙幣制御部２０２および棒金制御部５０２に指令を送信する。この結果、ＰＯＳレジスタ３００は、硬貨処理機１００に対して硬貨の入出金処理を行わせ、紙幣処理機２００に対して紙幣の入出金処理を行わせ、棒金管理機５００の棒金ドロア５０６を開放させる。
【００３３】
また、ＰＯＳ制御部３０６は、上位制御部１０１を介して、硬貨制御部１０２、紙幣制御部２０２および棒金制御部５０２からそれぞれ、硬貨処理機１００、紙幣処理機２００および棒金管理機５００における硬貨、紙幣および棒金の処理状況や在高に係る情報を受け取る。
【００３４】
図３に示すように、ＰＯＳレジスタ３００のＰＯＳ制御部３０６は、インターフェース３３２を介して、硬貨処理機１００の上位制御部１０１、サーバ４００に対して信号の送受信を行う。また、記憶部３５５には、硬貨処理機１００における硬貨の処理状況、硬貨処理機１００の内部に収納された硬貨の在高、紙幣処理機２００における紙幣の処理状況、紙幣処理機２００の内部に収納された紙幣の在高、および棒金管理機５００の内部に収納された棒金の在高等の様々な情報が記憶される。
【００３５】
なお、ＰＯＳレジスタ３００は、クレジットカード等の各種カードを読み取るカードリーダ３６０と、プリンタ等からなる印字部３７０も有している。ＰＯＳ表示部３０２で表示される情報や記憶部３５５で記憶されている情報は、当該印字部３７０で印字することが可能である。
【００３６】
また、図１に示すように、ＰＯＳレジスタ３００には、客（購入者）が視認可能な追加の表示部３０２ａが設けられており、様々な情報を表示部３０２に表示させる代わりに、あるいは表示部３０２における表示に加えて、表示部３０２ａに表示させることが可能である。
【００３７】
＜棒金管理機５００＞
次に、棒金を収納し、管理する棒金管理機５００について説明する。
図１および図２に示すように、棒金管理機５００は、棒金筐体５０５と、棒金筐体５０５に対して引き出し可能に設けられた棒金ドロア５０６とを備えている。棒金ドロア５０６は、棒金を１本ずつ収納する棒金収納部５２０を複数個有する。また、図２に示すように、棒金ドロア５０６の底面には、スリット５２５が形成されている。なお、この棒金ドロア５０６内には、棒金以外にもバラ硬貨、紙幣、商品券等も収納することが可能な補助収納領域５３０が設けられていてもよい。
【００３８】
棒金管理機５００は、棒金の有無および金種を検知する手段として棒金検知部５８０をさらに備えている。この棒金検知部５８０は、棒金ドロア５０６と棒金筐体５０５との間に設けられたロータリエンコーダ（変位検出手段）と、棒金筐体５０５内に設けられたセンサ（いずれも図示せず）とを有する。
【００３９】
ロータリエンコーダは、棒金筐体５０５に対する棒金ドロア５０６の位置を検出することが可能である。より詳しくは、ロータリエンコーダは、所定の角度ピッチでスリットが設けられた格子円盤と、格子円盤に向けて光を発光する発光部と、発光部で発光され格子円盤のスリットを通過した光を受光する受光素子とを有する。ロータリエンコーダは、受光部で受光された波形に基づいて格子円盤（入力軸）の回転変位を検出し、回転変位量を示す信号を棒金制御部５０２に出力する。棒金制御部５０２は、回転変位量から、棒金筐体５０５に対する棒金ドロア５０６の引き出し量を把握する。
【００４０】
センサは、棒金筐体５０５の一方の内面（例えば筐体下側の内面）に設けられ、棒金ドロア５０６に向けて光を発光する発光部と、棒金筐体５０５の他方の内面（例えば筐体上側の内面）に設けられ、当該発光部によって発光されスリット５２５を通過した光を受光する受光部とを有する。このセンサにより、棒金の有無が検出される。
【００４１】
棒金ドロア５０６を棒金筐体５０５から引き出す際に、当該センサの受光部は棒金の移動に応じた形状の光波形を検知する。すなわち、受光部がスリット５２５を通過した光を検知した後、棒金ドロア５０６とともに引き出される棒金によって発光部の光が一旦遮断される。さらに棒金が引き出されると、発光部の光が再びスリット５２５を通過するようになり、受光部が光を検知する。棒金制御部５０２は、受光部が光を検知しなくなってから再び光を検知するまでの棒金ドロア５０６の引き出し量を、ロータリエンコーダで検知された回転変量から把握する。これにより棒金の直径が検出される。このようにして棒金の直径を検出することで、棒金の金種の把握することも可能である。
【００４２】
なお、棒金収納部５２０内の棒金の有無および金種を検知する手段としては、上記の方式に限定されない。例えば、各棒金収納部５２０に、棒金の有無や金種（材質）を検知するセンサを配置してもよい。
【００４３】
棒金筐体５０５には、棒金ドロア５０６を棒金筐体５０５に対して閉鎖位置に固定するロック部５６０（図３参照）が設けられている。また、本実施形態の棒金管理機５００は、棒金筐体５０５に対して棒金ドロア５０６が開状態になっているか閉状態になっているかを検知する開閉検知部５７０（図３参照）も備えている。
【００４４】
棒金管理機５００の棒金制御部５０２には、図３に示すように、インターフェース５３２、棒金検知部５８０、開閉検知部５７０、ロック部５６０等が接続されている。そして、棒金制御部５０２は、棒金検知部５８０、開閉検知部５７０、ロック部５６０等と信号の送受信を行い、これらを制御するように構成されている。
【００４５】
＜硬貨処理機１００＞
次に、硬貨の入出金処理を行う硬貨処理機１００の構成について説明する。
図１および図２に示すように、硬貨処理機１００は、略直方体形状の硬貨筐体１０５と、硬貨筐体１０５の外部から硬貨を入金する硬貨入金部１１０と、硬貨筐体１０５内に設けられ、硬貨を金種別に収納するとともに収納された硬貨を繰り出す硬貨収納部１６０と、硬貨入金部１１０から入金された硬貨を１枚ずつ硬貨収納部１６０まで入金経路に沿って搬送する入金硬貨搬送部１２０と、入金経路に沿って設けられ、入金硬貨搬送部１２０により搬送される硬貨を識別する硬貨識別部１５０と、硬貨収納部１６０から繰り出された硬貨を出金経路に沿って搬送する出金硬貨搬送部１８０と、出金経路に繰り出されて出金硬貨搬送部１８０により搬送された硬貨を出金する硬貨出金部１９０とを備えている。
【００４６】
図１に示すように、硬貨筐体１０５の上面には、操作者が操作信号を入力したり操作者に所定の情報を表示したりするための操作表示部１５２が設けられている。この操作表示部１５２は、例えばタッチパネルで構成されており、操作表示部１５２に直接触れることで、操作者が操作信号を入力することが可能である。
【００４７】
図３に示すように、硬貨処理機１００の上位制御部１０１には、インターフェース１３２と、操作表示部１５２と、様々な情報を記憶する記憶部１５５が接続されている。また、硬貨制御部１０２には、硬貨入金部１１０、入金硬貨搬送部１２０、硬貨識別部１５０、硬貨収納部１６０、出金硬貨搬送部１８０、硬貨出金部１９０、各部位に配置される振分部１２７、および各種の検知センサ１２５等が接続されている。
【００４８】
振分部１２７には、金種別に硬貨を振り分けるものや、リジェクト硬貨を振り分けるものなどがある。検知センサ１２５には、入金硬貨搬送部１２０等により搬送される硬貨が通過したことなどを検知するセンサや、硬貨収納部１６０がフル（満杯）状態であることを検知するセンサ等がある。これらのセンサは、例えば、光を発光する発光部と、発光部で発光された光を受光する受光部とを有する光学センサである。光学センサは、発光部から発光された光が硬貨で遮断されて受光部で受光されないようになることで、硬貨が受光部と発光部との間まで搬送されたことを検知する。一方、発光部から発光された光が硬貨で遮断されなくなり、再び受光部で発光部から発光された光を受光するようになることで、硬貨が受光部と発光部との間を通過したことを検知する。
【００４９】
また、上位制御部１０１は、操作表示部１５２および記憶部１５５等と信号の送受信を行い、これらを制御するように構成されている。
【００５０】
硬貨制御部１０２は、硬貨入金部１１０、入金硬貨搬送部１２０、硬貨識別部１５０、硬貨収納部１６０、補助収納部（精査庫）１７０、出金硬貨搬送部１８０、硬貨出金部１９０、振分部１２７および検知センサ１２５等と信号の送受信を行い、これらを制御するように構成されている。
【００５１】
＜紙幣処理機２００＞
次に、紙幣の入出金処理を行う紙幣処理機２００の構成について説明する。
図１および図２に示すように、紙幣処理機２００は、略直方体形状の紙幣筐体２０５と、紙幣筐体２０５の外部から紙幣を入金する紙幣入金部２１０と、紙幣入金部２１０から入金された紙幣を搬送する紙幣搬送部（循環搬送路）２２０と、紙幣入金部２１０から入金された紙幣の金種等を識別する紙幣識別部２５０と、紙幣搬送部２２０で搬送された紙幣を金種別に収納するとともに収納された紙幣を繰り出す紙幣収納部２６０と、入金リジェクト紙幣や紙幣収納部２６０に収納されていた紙幣を出金するための紙幣出金部２９０とを備えている。このうち紙幣筐体２０５以外の構成要素は、後述する本体ユニット２０１に設けられている。
【００５２】
紙幣入金部２１０は、紙幣が入金されると駆動されて当該紙幣を紙幣筐体２０５内に一枚ずつ繰り出す入金紙幣操出部（図示せず）を有している。また、紙幣収納部２６０は、必要に応じて紙幣収納部２６０から紙幣を一枚ずつ繰り出す出金紙幣繰出部（図示せず）を有している。
【００５３】
また、図２に示すように、紙幣搬送部２２０には、回収処理を行う際に紙幣収納部２６０から繰り出された紙幣を収納する回収カセット２３５が連結されている。ある金種の紙幣収納部２６０がフル（満杯）状態またはニアフル（ほぼ満杯）状態である場合には、その紙幣収納部２６０に収納される金種の紙幣はオーバーフロー紙幣として回収カセット２３５に収納される。
【００５４】
また、図２に示すように、紙幣搬送部２２０には、例えば紙幣の２枚繰り出し等の搬送異常に起因して、紙幣収納部２６０から繰り出された紙幣が紙幣識別部２５０によって識別できない場合に、当該紙幣（出金リジェクト紙幣）を収納する出金リジェクト部２３０が連結されている。
【００５５】
図３に示すように、紙幣処理機２００の紙幣制御部２０２には、インターフェース２３２、紙幣入金部２１０、紙幣搬送部２２０、出金リジェクト部２３０、紙幣識別部２５０、紙幣収納部２６０、紙幣出金部２９０等が接続されている。そして、紙幣制御部２０２は、紙幣入金部２１０、紙幣搬送部２２０、紙幣識別部２５０、紙幣収納部２６０、紙幣出金部２９０等と信号の送受信を行い、これらを制御するように構成されている。
【００５６】
図４（１）に示すように、本体ユニット２０１は、紙幣筐体２０５に対して引出可能に設けられている。この本体ユニット２０１のように貨幣処理装置の筐体の内部に設けられたユニットのことを、本明細書では「内部ユニット」または単に「ユニット」という。内部ユニットには、他にも、貨幣の収納部を有する収納ユニットや、貨幣の識別部を有する識別ユニット等がある。
【００５７】
本体ユニット２０１の後部には、紙幣収納部２６０が設けられている。紙幣収納部２６０の側面には、鍵挿入部Ａが設けられている。操作者が紙幣収納部２６０の鍵を鍵挿入部Ａに挿入して解錠することにより、図４（２）に示すように、紙幣収納部２６０の扉２６１が開く。これにより、操作者は、紙幣収納部２６０内へアクセス可能となり、内部に詰まった紙幣を取り除く等のメンテナンス作業を行うことができるようになる。
【００５８】
＜異常対応情報データベース＞
ここで、異常対応情報データベースについて説明する。この異常対応情報データベースは、貨幣処理装置において貨幣詰まり等のメンテナンスを要する事象が発生した際に、対処方法や当該事象のメンテナンスに必要な用品（以下、「必要用品」、「必要部材」または単に「用品」ともいう。）を検索するために用いられる。
【００５９】
異常対応情報データベースは、メンテナンスを要する事象を示す事象情報と、その事象のメンテナンスに必要な用品（部材，道具）を示す用品情報とを関連付けて記憶している。異常対応情報データベースは、貨幣処理装置の記憶部（例えば記憶部１５５）、ＰＯＳレジスタ３００の記憶部３５５、またはサーバ４００等に格納されている。
【００６０】
図５は、異常対応情報データベースの一例を示している。このデータベースは、事象情報として、発生した事象の種別（事象種別）および発生箇所を格納している。事象種別には、「紙幣詰まり」、「フル、ニアフル」、「センサ汚れ」等がある。
【００６１】
また、図５の異常対応情報データベースは、用品情報として、事象情報ごとに必要用品の名称を格納している。必要用品には、紙幣収納部２６０を開放するための鍵（収納庫鍵）、回収カセット２３５を開放するための鍵（回収カセット鍵）、検知センサ１２５を清掃するための清掃用品等がある。なお、メンテナンスに用品を必要としない事象については、異常対応情報データベースの用品情報には何も格納されないか、あるいは必要用品が無い旨を示す情報が格納される。
【００６２】
異常対応情報データベースは、図５に示すように、発生事象を解除するための対処方法を事象情報と関連付けて記憶してもよい。この対処方法は、例えば、メンテナンス作業の操作ガイダンスを表示するために使用される。
【００６３】
図６は、変形例に係る異常対応情報データベースの一部を示している。この例では、異常対応情報データベースは、用品情報と関連付けて用品管理情報を記憶している。この用品管理情報は、図６に示すように、必要用品の保管場所および／または管理者を示す情報である。保管場所の情報は、例えば、店舗の事務所、サービスカウンター、各階の従業員控え室などである。管理者を示す情報は、管理者名（例えば○○主任、△△リーダ、店長等）である。なお、管理者を示す情報は、管理者の連絡先情報（電話番号、電子メールのアドレス等）でもよい。
【００６４】
なお、貨幣処理システム１は、異常対応情報データベースの用品管理情報を設定または変更するための登録情報を受け付ける登録情報受付手段を備えてもよい。この登録情報受付手段は、例えば操作表示部１５２により実現される。操作表示部１５２は操作者から登録情報（必要用品の管理場所、管理者、連絡先等）を受け付ける。そして、上位制御部１０１は、登録情報受付手段が受け付けた登録情報に基づいて異常対応情報データベースの用品管理情報の設定または変更を行う。これにより、ＰＯＳレジスタ３００および貨幣処理装置が店舗に設置された後、店舗において用品管理情報を設定することができる。また、必要用品の保管場所や管理者が変わった際に、店舗において用品管理情報を変更することができる。
【００６５】
登録情報受付手段は、ＰＯＳレジスタ３００側に設けられてもよい。例えば、操作部３０４が登録情報を受け付け、ＰＯＳ制御部３０６が受け付けた登録情報に基づいて異常対応情報データベースの用品管理情報の設定または変更を行うようにしてもよい。
【００６６】
登録情報受付手段は、ＰＯＳレジスタ３００や貨幣処理装置（硬貨処理機１００，紙幣処理機２００）と通信可能な情報端末（スマートフォン、タブレット端末、パソコン等）であってもよい。例えば、登録情報受付手段として機能するスマートフォンは、ユーザにより入力された登録情報を貨幣処理装置に送信し、上位制御部１０１はスマートフォンから受信した登録情報に基づいて用品管理情報の設定または変更を行ってもよい。
【００６７】
＜用品特定手段＞
次に、必要用品を特定するための用品特定手段について説明する。用品特定手段は、貨幣処理装置または管理装置（ＰＯＳレジスタ３００等）に設けられる。より具体的には、用品特定手段は、上位制御部１０１、硬貨制御部１０２、紙幣制御部２０２またはＰＯＳ制御部３０６等により実現され、上記の異常対応情報データベースにアクセスすることが可能である。
【００６８】
用品特定手段は、メンテナンスを要する事象が発生した際に、発生した事象をキーにして異常対応情報データベースを検索し、その事象のメンテナンスに必要な用品を特定するように構成されている。例えば、紙幣収納部２６０の光学センサが紙幣詰まりを検知した場合、紙幣制御部２０２が、紙幣収納部２６０の紙幣詰まりという事象情報をキーにして異常対応情報データベースを検索し、当該事象に対応する必要用品を特定する。
【００６９】
＜報知手段＞
次に、用品特定手段により特定された必要用品を報知する報知手段について説明する。報知手段は、貨幣処理装置または管理装置（ＰＯＳレジスタ３００等）に設けられ、用品特定手段により特定された用品を報知する。本実施形態では、硬貨処理機１００の操作表示部１５２が報知手段として機能する。例えば、操作表示部１５２は、「収納庫の鍵を準備してください」とのメッセージを表示する。
【００７０】
例えば、検知センサ１２５が紙幣収納部２６０の紙幣詰まりを検知した場合、上位制御部１０１が用品特定手段として機能して当該事象のメンテナンスに必要な用品を特定する。そして、上位制御部１０１は、特定した用品を操作表示部１５２に表示させる。あるいは、紙幣制御部２０２が用品特定手段として機能して用品を特定し、特定された用品情報が紙幣制御部２０２から上位制御部１０１に送信されるようにしてもよい。
【００７１】
なお、ＰＯＳレジスタ３００の表示部３０２および／または表示部３０２ａを報知手段として機能させてもよい。ＰＯＳレジスタ３００の表示部３０２，３０２ａは操作表示部１５２よりも大きく、見やすい位置にあるため、メッセージの視認性を向上させることができる。これにより、操作者は、発生事象のメンテナンスに必要な用品をより容易に認識することができる。
【００７２】
ＰＯＳレジスタ３００に用品情報を表示させる場合、以下の各方法を取りうる。一つ目の方法では、上位制御部１０１がＰＯＳレジスタ３００に事象情報を送信し、ＰＯＳ制御部３０６が、用品特定手段として機能して必要用品を特定し、特定した用品を表示部３０２に表示させる。二つ目の方法では、上位制御部１０１が、用品特定手段として機能して必要用品を特定し、用品情報をＰＯＳレジスタ３００に送信する。ＰＯＳ制御部３０６は、上位制御部１０１から受信した用品情報を表示部３０２に表示させる。三つ目の方法では、硬貨制御部１０２または紙幣制御部２０２が、用品特定手段として機能して必要用品を特定し、上位制御部１０１を介して用品情報をＰＯＳレジスタ３００に送信する。ＰＯＳ制御部３０６は、上位制御部１０１から受信した用品情報を表示部３０２に表示させる。
【００７３】
なお、報知手段は、タッチパネルや液晶ディスプレイ等の表示手段に限らず、スピーカやプリンタ等であってもよい。スピーカの場合、報知手段は、「紙幣の収納庫に紙幣詰まりが発生しました。エラーの解除作業に収納庫の鍵が必要です。」、「収納庫鍵を準備してください。」等の音声メッセージを出力する。
【００７４】
また、報知手段は、貨幣処理装置に設けられてもよいし、貨幣処理装置の管理装置（ＰＯＳレジスタ３００、入出金機の管理用パソコン等）に設けられてもよい。あるいは、報知手段は、ＰＯＳレジスタ３００または貨幣処理装置と通信可能な情報端末（スマートフォン、タブレット端末、パソコン等）に設けられてもよい。
【００７５】
次に、図７のフローチャートを参照して、本実施形態に係る貨幣処理装置（ここでは紙幣処理機２００）のメンテナンス方法について説明する。
【００７６】
まず、上位制御部１０１が、事象の発生を検出したか否かを判定し（ステップＳ１）、事象の発生を検出した場合にはステップＳ２に進む。なお、事象の発生は、機内に配置されるセンサ類（検知センサ１２５等）を用いて検出される。例えば、正常処理時の検知パターンと異常処理時の検知パターンを予め記憶部１５５等に記憶しておき、上位制御部１０１は、センサ類の検知結果と記憶部の検知パターンとを比較することで発生事象を特定する。また、異常パターンを検知したセンサから、事象の発生箇所を特定する。
【００７７】
事象の発生を検出すると、用品特定手段が、異常対応情報データベースにアクセスして、発生した事象のメンテナンスに必要な用品を特定する（ステップＳ２）。より詳しくは、用品特定手段が、メンテナンスを要する事象が発生した際に、発生した事象をキーにして異常対応情報データベースを検索し、その事象のメンテナンスに必要な用品を特定する。なお、事象への対処方法が格納された異常対応情報データベース（図５参照）を用いて、発生した事象への対処方法を特定してもよい。
【００７８】
次に、上位制御部１０１が、メンテナンスに必要な用品があるかどうかを判定し（ステップＳ３）、必要用品がある場合にはステップＳ４に進み、そうでない場合にはステップＳ５に進む。
【００７９】
メンテナンスに必要な用品がある場合（ステップＳ３：Ｙｅｓ）、報知手段が、必要用品を準備する旨を含む操作ガイダンスを報知する（ステップＳ４）。例えば、操作表示部１５２は、図８に示すように、「収納庫の鍵を準備してください」とのメッセージを表示する。操作者により本体ユニット２０１が引き出されてそのことが検出されると、操作表示部１５２は、図９（１）の画面を表示する。
【００８０】
なお、図８に示すように、報知手段は、発生した事象とともに、特定された用品を報知する。図８では、操作表示部１５２は、発生した事象として、「紙幣部  収納庫駆動異常」というメッセージを表示するとともに、「収納庫の鍵を準備してください」というメッセージを表示する。これにより、操作者は発生事象と同時に必要用品を把握することができ、直ちに必要用品の準備に取りかかることができる。
【００８１】
また、報知手段は、特定された用品を含む操作ガイダンスを、文章（メッセージ）やイラストで報知してもよい。例えば、操作表示部１５２は、図８に示すように、「収納庫の鍵を準備してください」というメッセージとともに、「［消音］を押してブザーを止めます」、「紙幣部を引き出します」という操作ガイダンスを表示する。加えて、操作表示部１５２は、紙幣部を引き出す状態を示すイラストを表示する。
【００８２】
一方、メンテナンスに必要な用品がない場合（ステップＳ３：Ｎｏ）、報知手段が、必要用品を準備する旨を含まない操作ガイダンスを報知する（ステップＳ５）。例えば、操作表示部１５２は、図８から「収納庫の鍵を準備してください」というメッセージを除いた画面に相当する画面を表示する。
【００８３】
操作者は、操作表示部１５２に表示された操作ガイダンスに従って、発生事象の解除処理を行う。操作ガイダンスはメンテナンス作業の進行に伴って切り替わる。すなわち、図８の画面を見た操作者は、収納庫の鍵を準備し、その後、紙幣筐体２０５から紙幣部（前述の本体ユニット２０１に相当）を引き出す。そして、操作者によって本体ユニット２０１が引き出されたことが検知されると、図９（１）の画面が操作表示部１５２に表示される。操作者は、準備しておいた鍵を用いて紙幣収納部２６０の扉２６１を開く。そして、扉２６１が開放されたことが検知されるか、または、操作者により「次手順」ボタンが押されると、図９（２）の画面が操作表示部１５２に表示される。操作者は、装置内に配置される所定のハンドル（緑のハンドル）を所定の場所（「１８」の場所）に取り付ける。そして、操作者が「次手順」ボタンを押すと、図９（３）の画面が操作表示部１５２に表示される。操作者は、画面内の「１８」で指示されたハンドルを回して紙幣搬送部２２０を動作させることで、紙幣収納部２６０内や紙幣搬送部２２０上の紙幣やごみを取り除く。
【００８４】
その後、操作者は本体ユニット２０１を元の状態に戻す。本体ユニット２０１が元に戻されると、操作表示部１５２は、図１０（１）に示すように、「リセット」ボタンの押下を求める画面を表示する。そして、操作者が「リセット」ボタンを押すと、リセット処理が行われ、その後、上位制御部１０１が、事象が解除されたかどうかを判定する（ステップＳ６）。
【００８５】
事象が解除された場合（ステップＳ６：Ｙｅｓ）、紙幣処理機２００は待機状態に復旧する（ステップＳ７）。例えば、操作表示部１５２は、図１０（２）に示すように、金種別の在高情報を示す待機画面を表示する。一方、事象が解除されない場合（ステップＳ６：Ｎｏ）、操作者による強制終了操作を受けたかどうかを上位制御部１０１が判定し（ステップＳ８）、強制終了操作を受けた場合にはメンテナンス処理を終了する。この場合、その場での復旧が困難であると判断して、取引を停止することになる。
【００８６】
上記のように、本実施形態では、メンテナンスを要する事象が発生した際に、発生した事象をキーにして異常対応情報データベースを検索し、その事象のメンテナンスに必要な用品を特定し、特定された用品を報知する。このように事象発生時に必要用品を報知することで、操作者はメンテナンス作業を開始する前に必要用品を準備することができる。すなわち、操作者は、メンテナンスに必要な用品を準備してからメンテナンス作業を開始することができる。これにより、操作者はメンテナンスの途中で用品を取りに行くことがなくなり、メンテナンス作業が途中で中断されることが防止される。よって、本実施形態によれば、メンテナンス時における貨幣処理装置の操作性を向上させることができる。
【００８７】
さらに、報知手段が必要用品を報知するため、操作者はメンテナンスに必要な用品を容易に認識でき、必要用品の取得に手間取ることがなくなる。よって、本実施形態によれば、事象の発生から復旧までに要する時間を短縮することができる。
【００８８】
以下、本実施形態の変形例について説明する。
【００８９】
上記のメンテナンス方法の説明では、本体ユニット２０１が引き出されたことが検出されたことを条件に、図８の画面から図９（１）の画面に遷移したが、これに限られない。例えば、必要用品の準備を促すメッセージ（「収納庫の鍵を準備してください」等）とともに、『ＯＫ（承認）』ボタンを表示し、該ボタンが操作者によって押下されることを条件に、次の画面に移行するようにしてもよい。これにより、メンテナンスに鍵（必要部材）が必要であることが、操作者に確実に伝えられる。
【００９０】
報知手段は、メンテナンスに必要な用品を報知する際、用品とともに、用品の保管場所を報知してもよい。これにより、操作者は用品の保管場所を自分で調べる必要がなくなり、必要用品を取得するまでの時間（ダウンタイム）が短縮される。その結果、事象の発生から復旧までに要する時間をさらに短縮することができる。また、報知手段は、用品の保管場所に代えて、または用品の保管場所とともに、当該用品の管理者の情報を用品と併せて報知してもよい。
【００９１】
この場合、用品特定手段は、ステップＳ２において、特定された用品の用品管理情報を取得する。より詳しくは、用品特定手段は、用品管理情報を含む異常対応情報データベース（前述の図６参照）にアクセスして、用品管理情報を取得する。なお、用品管理情報の取得は、ステップＳ３とステップＳ４の間で行ってもよい。その後、報知手段は、ステップＳ４において、特定された用品とともに、その用品の保管場所および／または管理者を報知する。例えば、操作表示部１５２は、図１１に示すように、特定された用品とともに、当該用品の保管場所および管理者を表示する。
【００９２】
また、報知手段は、異常対応情報データベースに格納された連絡先情報に基づいて、管理者に当該用品が必要である旨を報知してもよい。例えば、用品管理情報に管理者の電子メールのアドレスが設定されている場合、上位制御部１０１はインターフェース１３２を介して管理者の携帯端末にメッセージ（「○○番のレジで収納庫の紙幣詰まりが発生しました。収納庫鍵が必要です。」等）を含む電子メールを送信する。これにより、管理者は、発生事象および必要用品を速やかに認識できるとともに、必要用品を探したり、店舗に届けたりすることができる。
【００９３】
また、報知手段は、発生した事象および特定された用品を印字して出力してもよい。例えば、ＰＯＳレジスタ３００の印字部３７０が報知手段として機能し、必要用品の情報を含む発生事象情報（エラー内容、発生日時、発生場所（号機）等）を紙に印字して出力する。これにより、例えば、レジ店員等の操作者が印字された紙を用品の管理者に持って行き、管理者がそれを確認した後、用品をレジ店員に手渡すといった運用が可能になり、その結果、セキュリティを向上させることができる。
【００９４】
また、前述の図８の例では、報知手段は発生事象とともに必要用品を報知したが、これに限られない。例えば、図１２（１）に示すように、発生事象の報知画面では「必要用品」ボタンを表示しておき、操作者が当該ボタンを押してから初めて、図１２（２）に示すように必要用品に関する情報（用品の名称等）を表示するようにしてもよい。
【００９５】
貨幣処理装置のメンテナンスは、上記のように、例えば、内部ユニットの開放を伴う作業であり、必要用品は内部ユニットを開放するための鍵である。メンテナンスはこれに限られず、例えば、貨幣処理装置内に設けられた所定の部位（センサー等）を清掃する作業であり、この場合、必要用品は当該部位を清掃するための清掃用品である。
【００９６】
上記の実施形態では、釣銭機を例に説明したが、本発明が適用される貨幣処理装置は、これに限られず、例えば、店舗のバックヤードに設置される入出金機であってもよい。図１３（１），（２）は入出金機の一例を示している。この入出金機は、硬貨処理機１００Ａ、紙幣処理機２００Ａ、および貨幣収納部４０を備えている。硬貨処理機１００Ａと紙幣処理機２００Ａは筐体１１内に並んで設けられている。
【００９７】
硬貨処理機１００Ａは、図１３（１）に示すように、硬貨投入口３１と、硬貨返却口３２と、プリンタ４３とを有する。紙幣処理機２００Ａは、紙幣投入口２１と、紙幣リジェクト口２２と、紙幣返却口２３と、扉２４と、紙幣ステージ２８と、表示部４４と、操作部４５と、カードリーダ４６とを有する。
【００９８】
また、筐体１１内には、図１３（２）に示すように、紙幣を搬送する搬送部２５、紙幣を識別する識別部２６、紙幣収納部２７、搬送された紙幣を集積状態で保留する紙幣保留部２９、および、紙幣保留部２９に保留された紙幣を収納する紙幣収納カセット４１が設けられている。
【００９９】
紙幣収納部２７は、金種別に紙幣を収納するとともに収納した搬送部２５に繰り出すリサイクル式の収納部である。この紙幣収納部２７は、前述の紙幣処理機２００の紙幣収納部２６０と同様、鍵を用いて扉を開閉することで内部にアクセスできるようになっている。また、紙幣収納部２７は、紙幣処理機２００Ａから取り外す場合にも鍵が必要である。紙幣収納部２７で紙幣詰まり等の事象が発生した場合、報知手段は、メンテナンス作業前に鍵（扉開放用の鍵、取り外し用の鍵）の準備を促すメッセージを報知する。
【０１００】
また、識別部２６についても、内部のメンテナンス作業を行うためには、蓋を開放するための鍵が必要である。識別部２６でセンサ汚れ等の事象が発生した場合、報知手段は、メンテナンス作業前に鍵およびセンサの清掃用品の準備を促すメッセージを報知する。これにより、操作者は、必要部材である鍵を準備した上で、紙幣処理機２００Ａのカバーを開放してメンテナンス作業を開始することができる。
【０１０１】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１０２】
１  貨幣処理システム
１００，１００Ａ  硬貨処理機
１０１  上位制御部
１０２  硬貨制御部
１０５  硬貨筐体
１１０  硬貨入金部
１５０  硬貨識別部
１５５  記憶部
１５２  操作表示部
１６０  硬貨収納部
１９０  硬貨出金部
２００，２００Ａ  紙幣処理機
２０１  本体ユニット
２０５  紙幣筐体
２１０  紙幣入金部
２６０  紙幣収納部
２６１  扉
２９０  紙幣出金部
３００  ＰＯＳレジスタ
３０２  表示部
３０２ａ  （追加の）表示部
３０４  操作部
３０６  ＰＯＳ制御部
３５５  記憶部
４００  サーバ
５００  棒金管理機
Ａ  鍵挿入部
【図１】
2017004049.tif 000003
【図２】
2017004049.tif 000004
【図３】
2017004049.tif 000005
【図４】
2017004049.tif 000006
【図５】
2017004049.tif 000007
【図６】
2017004049.tif 000008
【図７】
2017004049.tif 000009
【図８】
2017004049.tif 000010
【図９】
2017004049.tif 000011
【図１０】
2017004049.tif 000012
【図１１】
2017004049.tif 000013
【図１２】
2017004049.tif 000014
【図１３】
2017004049.tif 000015